(57)【特許請求の範囲】
【請求項１】
提示情報を表示している情報表示媒体、および該情報表示媒体に配され前記提示情報に関する関連情報を記憶しているＲＦＩＤタグを有するＲＦＩＤタグ付き情報表示媒体と、
予め定められた通信網にアクセス可能なアクセスポイントと、
前記ＲＦＩＤタグから近距離無線通信によって前記関連情報を読み出す情報読出部、前記アクセスポイントと無線通信を行う無線通信部、および前記無線通信部が前記アクセスポイントと無線通信可能な環境にあるかを判定する判定部を有する無線携帯端末とを備え、
前記ＲＦＩＤタグは、
前記ＲＦＩＤタグから前記関連情報が読み出された回数を計数する計数部と、
前記計数部による計数結果を記憶するとともに、前記無線携帯端末が前記アクセスポイントへの無線通信の接続に用いる設定情報、および前記提示情報に関する情報が開示されているＷＥＢサイトのアドレスを前記関連情報として記憶している記憶部と、
前記情報読出部は、前記判定部で前記無線通信部が前記アクセスポイントと無線通信可能な環境にあると判定された場合に、前記記憶部から近距離無線通信によって前記設定情報および前記アドレスを読み出し、
前記無線通信部は、前記情報読出部で読み出した前記設定情報を用いて前記アクセスポイントと無線通信を行い、前記アクセスポイントを介して前記情報読出部で読み出した前記アドレスに前記通信網経由でアクセスすることを特徴とするＲＦＩＤタグ付き情報表示媒体システム。
【発明の詳細な説明】
【技術分野】
【０００１】
本発明は、スマートポスター（登録商標）等のＲＦＩＤタグ付き情報表示媒体を有するＲＦＩＤタグ付き情報表示媒体システムに関するものである。
【背景技術】
【０００２】
従来、スマートポスターとしては、例えば、特許文献１に記載の従来技術がある。
この従来技術では、広告等が表示されているポスターにＲＦＩＤ(Radio Frequency Identification)タグを貼着し、貼着したＲＦＩＤタグに、ポスターに表示されている情報の詳細情報が開示されたＷＥＢサイトのＵＲＬ（Uniform Resource Locator）を記憶させている。そして、利用者が、ＲＦＩＤタグを読取可能な携帯電話機をＲＦＩＤにかざすことで、かざした携帯電話機によって、ＲＦＩＤタグからＵＲＬを読み出し、読み出したＵＲＬが示すＷＥＢサイトへアクセスするようになっている。これにより、利用者が、広告等の詳細情報を閲覧可能となっている。
【先行技術文献】
【特許文献】
【０００３】
【特許文献１】特開２０１１−１００２４３号公報
【発明の概要】
【発明が解決しようとする課題】
【０００４】
しかしながら、上記従来技術では、スマートポスターのＲＦＩＤタグからＵＲＬを携帯電話機で読み出し、読み出したＵＲＬが示すＷＥＢサイトへ携帯電話機でアクセスするようになっている。それゆえ、例えば、スマートポスターが複数箇所に設置されている場合には、いずれのスマートポスターがアクセスに利用されているのか把握することが困難であった。そのため、スマートポスターの設置効果を確認することが困難であった。
本発明は、上記のような点に着目し、ＲＦＩＤタグ付き情報表示媒体の設置効果を容易に確認可能とすることを課題とする。
【課題を解決するための手段】
【０００７】
本発明のＲＦＩＤタグ付き情報表示媒体システムの一態様は、
提示情報を表示している情報表示媒体、および該情報表示媒体に配され前記提示情報に関する関連情報を記憶しているＲＦＩＤタグを有するＲＦＩＤタグ付き情報表示媒体と、予め定められた通信網にアクセス可能なアクセスポイントと、前記ＲＦＩＤタグから近距離無線通信によって前記関連情報を読み出す情報読出部、前記アクセスポイントと無線通信を行う無線通信部、および前記無線通信部が前記アクセスポイントと無線通信可能な環境にあるかを判定する判定部を有する無線携帯端末とを備え、前記ＲＦＩＤタグは、前記ＲＦＩＤタグから前記関連情報が読み出された回数を計数する計数部と、前記計数部による計数結果を記憶するとともに、前記無線携帯端末が前記アクセスポイントへの無線通信の接続に用いる設定情報、および前記提示情報に関する情報が開示されているＷＥＢサイトのアドレスを前記関連情報として記憶している記憶部と、前記情報読出部は、前記判定部で前記無線通信部が前記アクセスポイントと無線通信可能な環境にあると判定された場合に、前記記憶部から近距離無線通信によって前記設定情報および前記アドレスを読み出し、前記無線通信部は、前記情報読出部で読み出した前記設定情報を用いて前記アクセスポイントと無線通信を行い、前記アクセスポイントを介して前記情報読出部で読み出した前記アドレスに前記通信網経由でアクセスすることを特徴とする。
【０００８】
このように、ＲＦＩＤタグが、ＲＦＩＤタグから関連情報が読み出された回数を計数するようにした。そして、ＲＦＩＤタグが、計数結果を記憶するようにした。それゆえ、例えば、ＲＦＩＤタグの記憶内容を解析することで、ＲＦＩＤタグ付き情報表示媒体の利用状況（ＲＦＩＤからの関連情報の読み出し状況）を把握することができる。そのため、ＲＦＩＤタグ付き情報表示媒体の設置効果を容易に確認することができる。
また、無線携帯端末が、ＲＦＩＤタグから設定情報およびアドレスを読み出し、読み出した設定情報に基づいてアクセスポイントと無線通信を行い、アクセスポイントを介してアドレスが示す格納場所にアクセスするようにした。それゆえ、提示情報に関する情報が開示されているＷＥＢサイトに容易にアクセスすることができる。
【図面の簡単な説明】
【０００９】
【図１】スマートポスターシステム１の構成を示す図である。
【図２】ＲＦＩＤタグ８の構成を示すブロック図である。
【図３】記憶部１０に記憶されている各種情報のデータ構造を示す図である。
【図４】会員用無線携帯端末５ａの概略構成を表すブロック図である。
【図５】一般用無線携帯端末５ｂの概略構成を表すブロック図である。
【図６】会員用情報読出処理を表すフローチャートである。
【図７】会員用動作処理を表すフローチャートである。
【図８】一般用情報読出処理を表すフローチャートである。
【図９】一般用動作処理を表すフローチャートである。
【図１０】読出制限処理を表すフローチャートである。
【図１１】読出集計処理を表すフローチャートである。
【図１２】スマートポスター２の設置手順を示すシーケンス図である。
【図１３】スマートポスターシステム１の動作を示すシーケンス図である。
【図１４】スマートポスターシステム１の動作を示すシーケンス図である。
【発明を実施するための形態】
【００１０】
以下、本発明の実施形態を図面に基づき説明する。
本実施形態は、本発明を、街頭や駅等に配設され、博物館、美術館等の展示施設の情報を提供するスマートポスターシステム１に適用したものである。
（構成）
図１は、スマートポスターシステム１の構成を示す図である。
図１に示すように、スマートポスターシステム１は、スマートポスター２、アクセスポイント３ａ、３ｂ、ＷＥＢサーバ４、無線携帯端末５ａ、５ｂを備える。アクセスポイント３ａ、３ｂとＷＥＢサーバ４とは、インターネット６を介して、互いに通信可能に接続されている。なお、本実施形態では、説明を容易にするため、スマートポスター２、アクセスポイント３ａ、３ｂ、無線携帯端末５ａ、５ｂを１つずつ備える構成とした。
【００１１】
スマートポスター２は、展示情報ポスター７、およびＲＦＩＤタグ８を備える。
展示情報ポスター７は、街頭や駅等の複数箇所に設定した領域Ａそれぞれに配設されている。そして、展示情報ポスター７は、展示施設の情報が表面に印刷されている。
図２は、ＲＦＩＤタグ８の構成を示すブロック図である。
ＲＦＩＤタグ８は、展示情報ポスター７に貼着されている。ＲＦＩＤタグ８は、図２に示すように、非接触通信部９、記憶部１０、および制御部１１を備える。
【００１２】
非接触通信部９は、近距離無線通信を介して、無線携帯端末５ａ、５ｂの後述するＮＦＣリーダ/ライタ１２ａ、１２ｂと通信可能となっている。近距離無線通信としては、例えば、13.56MHz周波数帯を使用した近距離（例えば、数cm）の通信を採用できる。これにより、制御部１１が、非接触通信部９（近距離無線通信）を介して、無線携帯端末５ａ、５ｂと通信可能となっている。
【００１３】
図３は、記憶部１０に記憶されている各種情報のデータ構造を示す図である。
図３に示すように、記憶部１０は、固有ＩＤ番号、外部端末識別鍵、設置場所データ、会員用ＳＳＩＤ（Service Set Identifier）、会員用ＷＥＰ（Wired Equivalent Privacy）、会員用ＵＲＬ、会員用情報１、会員用情報２、一般用ＳＳＩＤ、一般用ＷＥＰ、一般用ＵＲＬ、一般用情報１、一般用情報２、および利用情報を記憶する記憶領域を有している。固有ＩＤ番号とは、ＲＦＩＤタグ８を識別するためのユニークなＩＤ番号である。また、外部端末識別鍵とは、会員用無線携帯端末５ａと一般用無線携帯端末５ｂとを識別するための識別鍵を示す情報である。具体的には、外部端末識別鍵は、会員用無線携帯端末５ａに対応付けられている固有ＩＤ番号を示す情報である。さらに、設置場所データとは、スマートポスター２の設置場所を示す情報である。また、会員用ＳＳＩＤとは、アクセスポイント３ａのＳＳＩＤである。さらに、会員用ＷＥＰとは、アクセスポイント３ａの暗号鍵（ＷＥＰキー）である。また、会員用ＵＲＬとは、展示施設の予め登録された会員（例えば、友の会会員）のみがアクセス可能なＷＥＢサイト（以下、会員用ＷＥＢサイトとも呼ぶ）のＵＲＬ（アドレス）である。会員用ＷＥＢサイトとは、展示情報ポスター７に表示されている情報に関する会員向けの詳細情報が掲載されているＷＥＢサイトである。さらに、会員用情報１とは、会員向けに提供される特別な案内情報（例えば、会員向けのクーポン等の割引情報）である。また、会員用情報２とは、会員向けに提供されるアンケート調査表を示す情報である。さらに、一般用ＳＳＩＤとは、アクセスポイント３ｂのＳＳＩＤである。また、一般用ＷＥＰとは、アクセスポイント３ｂの暗号鍵（ＷＥＰキー）である。さらに、一般用ＵＲＬとは、一般利用者（会員以外の利用者）がアクセス可能なＷＥＢサイト（以下、一般用ＷＥＢサイトとも呼ぶ）のＵＲＬ（アドレス）である。一般用ＷＥＢサイトとは、展示情報ポスター７に表示されている情報に関する一般利用者向けの詳細情報が掲載されているＷＥＢサイトである。また、一般用情報１とは、一般利用者向けに提供される特別な案内情報（例えば、一般利用者向けのクーポン等の割引情報）である。さらに、一般情報２とは、一般利用者向けに提供されるアンケート調査表を示す情報である。また、利用情報とは、無線携帯端末５ａ、５ｂとＲＦＩＤタグ８とが近距離無線通信を行った回数を示す情報である。近距離無線通信を行った回数とは、近距離無線通信を介して無線携帯端末５ａ、５ｂとＲＦＩＤタグ８とが接続を確立した回数である。利用情報は、日付ごとに記憶されている（日付に対応付けて記憶されている）。
【００１４】
制御部１１は、非接触通信部９（近距離無線通信）を介して、無線携帯端末５ａ、５ｂに記憶部１０が記憶している各種情報を取得可能としている。また、記憶部１０が記憶している各種情報、および非接触通信部９（近距離無線通信）を介して無線携帯端末５ａ、５ｂから取得した指令に基づき、後述する読出制限処理および読出集計処理を実行する。制御部１１としては、例えば、ＣＰＵ(Central Processing Unit)を採用できる。
【００１５】
アクセスポイント３ａ（以下、会員用アクセスポイント３ａとも呼ぶ）は、街頭や駅等の複数箇所に設定した領域Ａそれぞれに対応付けて配設されている。そして、会員用アクセスポイント３ａは、無線通信を介して、配設された各領域Ａ内にある無線携帯端末５ａの後述する無線通信デバイス１３ａと通信可能となっている。無線通信としては、例えば、5.2GHz周波数帯を使用した通信速度が約54Mbpsの通信や、2.4GHz周波数帯を使用した通信速度が約11Mbpsの通信を採用できる。その結果、会員用アクセスポイント３ａは、当該会員用アクセスポイント３ａを介して、無線携帯端末５ａをインターネット６にアクセス可能とする。これにより、無線携帯端末５ａが、会員用アクセスポイント３ａおよびインターネット６を介して、ＷＥＢサーバ４と通信可能となっている。
【００１６】
アクセスポイント３ｂ（以下、一般用アクセスポイント３ｂとも呼ぶ）は、街頭や駅等の複数箇所に設定した領域Ａそれぞれに対応付けて配設されている。そして、一般用アクセスポイント３ｂは、無線通信を介して、配設された各領域Ａ内にある無線携帯端末５ｂの後述する無線通信デバイス１３ｂと通信可能となっている。その結果、一般用アクセスポイント３ｂは、当該一般用アクセスポイント３ｂを介して、無線携帯端末５ｂをインターネット６にアクセス可能とする。これにより、無線携帯端末５ｂが、一般用アクセスポイント３ｂおよびインターネット６を介して、ＷＥＢサーバ４と通信可能となっている。
【００１７】
ＷＥＢサーバ４は、会員用ＵＲＬに対応付けて会員用ＷＥＢサイトのＨＴＭＬ（HyperText Markup Language）データを記憶している。また、ＷＥＢサーバ４は、一般用ＵＲＬに対応付けて一般用ＷＥＢサイトのＨＴＭＬデータを記憶している。さらに、ＷＥＢサーバ４は、アクセスポイント３ａ、３ｂ、およびインターネット６を介して、無線携帯端末５ａ、５ｂの無線通信デバイス１３ａと通信可能となっている。そして、無線携帯端末５ａが、ＷＥＢサーバ４が記憶している会員用ＷＥＢサイトのＨＴＭＬデータを取得可能となっている。また、無線携帯端末５ｂが、ＷＥＢサーバ４が記憶している一般用ＷＥＢサイトのＨＴＭＬデータを取得可能となっている。
【００１８】
無線携帯端末５ａ（以下、会員用無線携帯端末５ａとも呼ぶ）は、展示施設の管理者から会員（展示施設の友の会会員）に配布される端末である。また、会員用無線携帯端末５ａは、会員用無線携帯端末５ａを識別するためのユニークな固有ＩＤ番号を有している。
図４は、会員用無線携帯端末５ａの概略構成を表すブロック図である。
図４に示すように、無線携帯端末５ａは、ＮＦＣリーダ/ライタ１２ａ、無線通信デバイス１３ａ、情報表示デバイス１４ａ、および制御部１５ａを備える。
ＮＦＣリーダ/ライタ１２ａは、近距離無線通信を介して、ＲＦＩＤタグ８と通信可能となっている。これにより、制御部１５ａが、ＮＦＣリーダ/ライタ１２ａを介して、ＲＦＩＤタグ８から記憶部１０が記憶している各種情報（会員用ＳＳＩＤ、会員用ＷＥＰ、会員用ＵＲＬ、会員用情報１、会員用情報２）を取得可能となっている。
【００１９】
無線通信デバイス１３ａは、ＲＦＩＤタグ８から取得した会員用ＳＳＩＤおよび会員用ＷＥＰに基づき、無線通信を介して、会員用アクセスポイント３ａと通信可能となっている。そして、無線通信デバイス１３ａは、会員用アクセスポイント３ａを介して、インターネット６にアクセス可能となっている。これにより、制御部１５ａが、会員用アクセスポイント３ａおよびインターネット６を介して、ＷＥＢサーバ４と通信可能となっている。そして、制御部１５ａが、会員用アクセスポイント３ａおよびインターネット６を介して、ＷＥＢサーバ４から会員用ＷＥＢサイトのＨＴＭＬデータを取得可能となっている。
【００２０】
また、無線通信デバイス１３ａは、会員用アクセスポイント３ａから送出される電波（例えば、ビーコン）の電波強度を検出する。そして、無線通信デバイス１３ａは、検出結果を示す信号（以下、強度信号とも呼ぶ）を制御部１５ａに出力する。
情報表示デバイス１４ａは、情報表示デバイス１４ａは、制御部１５ａからの表示指令に従って、ＷＥＢサーバ４から取得したＨＴＭＬデータに基づいて会員用ＷＥＢサイトの画像を表示可能となっている。また、制御部１５ａからの表示指令に従って、ＲＦＩＤタグ８から取得した会員用情報１または会員用情報２の画像を表示可能となっている。
【００２１】
制御部１５ａは、ＲＦＩＤタグ８から取得した各種情報、ＷＥＢサーバ４から取得したＨＴＭＬデータ、無線通信デバイス１３ａから出力される強度信号に基づき、予め設定した制御プログラムに従って後述する会員用情報読出処理を実行する。制御部１５ａとしては、例えば、ＣＰＵ(Central Processing Unit)を採用できる。
無線携帯端末５ｂ（以下、一般用無線携帯端末５ｂとも呼ぶ）は、携帯キャリア（電気通信事業者）から公衆に提供される携帯電話機である。また、一般用無線携帯端末５ｂは、一般用無線携帯端末５ｂを識別するためのユニークな固有ＩＤ番号を有している。
【００２２】
図５は、一般用無線携帯端末５ｂの概略構成を表すブロック図である。
図５に示すように、無線携帯端末５ｂは、ＮＦＣリーダ/ライタ１２ｂ、無線通信デバイス１３ｂ、移動体通信デバイス１６ｂ、情報表示デバイス１４ｂ、および制御部１５ｂを備える。
ＮＦＣリーダ/ライタ１２ｂは、近距離無線通信を介して、ＲＦＩＤタグ８と通信可能となっている。これにより、制御部１５ｂが、ＮＦＣリーダ/ライタ１２ｂを介して、ＲＦＩＤタグ８から記憶部１０が記憶している各種情報（一般用ＳＳＩＤ、一般用ＷＥＰ、一般用ＵＲＬ、一般用情報１、一般用情報２）を取得可能となっている。
【００２３】
無線通信デバイス１３ｂは、ＲＦＩＤタグ８から取得した一般用ＳＳＩＤおよび一般用ＷＥＰに基づき、無線通信を介して、一般用アクセスポイント３ｂと通信可能となっている。そして、無線通信デバイス１３ｂは、一般用アクセスポイント３ｂを介して、インターネット６にアクセス可能となっている。これにより、制御部１５ｂが、一般用アクセスポイント３ｂおよびインターネット６を介して、ＷＥＢサーバ４と通信可能となっている。そして、制御部１５ｂが、一般用アクセスポイント３ｂおよびインターネット６を介して、ＷＥＢサーバ４から一般用ＷＥＢサイトのＨＴＭＬデータを取得可能となっている。
【００２４】
また、無線通信デバイス１３ｂは、一般用アクセスポイント３ｂから送出される電波（例えばビーコン）の電波強度を検出する。そして、無線通信デバイス１３ｂは、検出結果を示す信号（以下、強度信号とも呼ぶ）を制御部１５ｂに出力する。
移動体通信デバイス１６ｂは、移動体通信を介して、携帯キャリアの基地局（以下、単に基地局とも呼ぶ）と通信可能となっている。移動体通信としては、例えば、国際電気通信連合が定めるIMT-2000規格に準拠した電気通信を採用できる。そして、無線通信デバイス１３ｂは、一般用アクセスポイント３ｂを介して、インターネット６にアクセス可能となっている。これにより、制御部１５ｂが、基地局を介して、ＷＥＢサーバ４と通信可能となっている。そして、制御部１５ｂが、基地局を介して、ＷＥＢサーバ４から一般用ＷＥＢサイトのＨＴＭＬデータを取得可能となっている。
【００２５】
また、移動体通信デバイス１６ｂは、携帯キャリアの基地局から送出される電波の電波強度を検出する。そして、移動体通信デバイス１６ｂは、検出結果を示す信号（以下、強度信号とも呼ぶ）を制御部１５ｂに出力する。
情報表示デバイス１４ｂは、情報表示デバイス１４ｂは、制御部１５ｂからの表示指令に従って、ＷＥＢサーバ４から取得したＨＴＭＬデータに基づいて一般用ＷＥＢサイトの画像を表示可能となっている。また、制御部１５ｂからの表示指令に従って、ＲＦＩＤタグ８から取得した一般用情報１または一般用情報２の画像を表示可能となっている。
制御部１５ｂは、ＲＦＩＤタグ８から取得した各種情報、ＷＥＢサーバ４から取得したＨＴＭＬデータ、無線通信デバイス１３ｂ、移動体通信デバイス１６ｂから出力される強度信号に基づき、予め設定した制御プログラムに従って後述する一般用情報読出処理を実行する。制御部１５ｂとしては、例えば、ＣＰＵを採用できる。
【００２６】
（演算処理）
次に、会員用無線携帯端末５ａの制御部１５ａが実行する会員用情報読出処理について説明する。会員用情報読出処理は、ＲＦＩＤタグ８が会員用無線携帯端末５ａのＮＦＣリーダ/ライタ１２ａの通信可能範囲内に入った場合に実行される。
図６は、会員用情報読出処理を表すフローチャートである。
図６に示すように、ステップＳ１０１では、制御部１５ａは、ＮＦＣリーダ/ライタ１２ａ（近距離無線通信）を介して、会員用無線携帯端末５ａとＲＦＩＤタグ８との接続を確立する。これにより、制御部１５ａは、ＮＦＣリーダ/ライタ１２ａ（近距離無線通信）を介して、会員用無線携帯端末５ａとＲＦＩＤタグ８とを通信可能とする。
【００２７】
続いてステップＳ１０２に移行して、制御部１５ａは、ＮＦＣリーダ/ライタ１２ａ（近距離無線通信）を介して、ＲＦＩＤタグ８の記憶部１０から固有ＩＤ番号を読み出す。
続いてステップＳ１０３に移行して、制御部１５ａは、ＮＦＣリーダ/ライタ１２ａ（近距離無線通信）を介して、ＲＦＩＤタグ８の記憶部１０から外部端末識別鍵を読み出す。続いて、制御部１５ａは、読み出した外部端末識別鍵を照合する。
続いてステップＳ１０４に移行して、制御部１５ａは、ＮＦＣリーダ/ライタ１２ａ（近距離無線通信）を介して、後述する判定処理の実行指令をＲＦＩＤタグ８に送信する。
【００２８】
前記ステップＳ１０５では、制御部１５ａは、後述する会員用動作処理を実行する。
続いてステップＳ１０６に移行して、制御部１５ａは、ＮＦＣリーダ/ライタ１２ａ（近距離無線通信）を介して、後述する読出集計処理の実行指令をＲＦＩＤタグ８に送信する。
続いてステップＳ１０７に移行して、制御部１５ａは、ＮＦＣリーダ/ライタ１２ａ（近距離無線通信）を介した、無線携帯端末５ａとＲＦＩＤタグ８との接続を切断する。これにより、制御部１１は、ＮＦＣリーダ/ライタ１２ａ（近距離無線通信）を介した、無線携帯端末５ａとＲＦＩＤタグ８との通信を終了する。
【００２９】
次に、情報読出処理のステップＳ１０５で実行する会員用動作処理について説明する。
図７は、会員用動作処理を表すフローチャートである。
図７に示すように、ステップＳ２０１では、制御部１５ａは、会員用無線携帯端末５ａが会員用アクセスポイント３ａと無線通信可能な環境であるか否かを判定する。具体的には、制御部１５ａは、無線通信デバイス１３ａから出力される信号に基づき無線通信デバイス１３ａが会員用アクセスポイント３ａから送出される電波を受信しているか否かを判定する。そして、制御部１５ａは、無線通信デバイス１３ａが会員用アクセスポイント３ａから送出される電波を受信していると判定した場合には（Ｙｅｓ）、会員用無線携帯端末５ａが会員用アクセスポイント３ａと無線通信可能な環境にあると判定し、ステップＳ２０２に移行する。一方、制御部１５ａは、無線通信デバイス１３ａが会員用アクセスポイント３ａから送出される電波を受信していないと判定した場合には（Ｎｏ）、会員用無線携帯端末５ａが会員用アクセスポイント３ａと無線通信可能な環境にはないと判定し、ステップＳ２０９に移行する。
【００３０】
前記ステップＳ２０２では、制御部１５ａは、ＮＦＣリーダ/ライタ１２ａ（近距離無線通信）を介して、ＲＦＩＤタグ８の記憶部１０から会員用ＳＳＩＤを読み出す。
続いてステップＳ２０３に移行して、制御部１５ａは、ＮＦＣリーダ/ライタ１２ａ（近距離無線通信）を介して、ＲＦＩＤタグ８の記憶部１０から会員用ＷＥＰを読み出す。
続いてステップＳ２０４に移行して、制御部１５ａは、ＮＦＣリーダ/ライタ１２ａ（近距離無線通信）を介して、ＲＦＩＤタグ８の記憶部１０から会員用ＵＲＬを読み出す。
【００３１】
続いてステップＳ２０５に移行して、制御部１５ａは、前記ステップＳ２０２、Ｓ２０３で読み出した会員用ＳＳＩＤ、会員用ＷＥＰを会員用無線携帯端末５ａが会員用アクセスポイント３ａへの無線通信の接続に用いるＳＳＩＤ、ＷＥＰキーとして設定する。
続いてステップＳ２０６に移行して、制御部１５ａは、無線通信デバイス１３ａ（無線通信）を介して、前記ステップＳ２０５で設定したＳＳＩＤとＷＥＰキーとに基づいて会員用アクセスポイント３ａと制御部１５ａとの接続を確立する。これにより、制御部１５ａは、無線通信デバイス１３ａ（無線通信）を介して、制御部１５ａと会員用アクセスポイント３ａとを通信可能とする。そして、制御部１５ａは、無線通信デバイス１３ａ、会員用アクセスポイント３ａ、およびインターネット６を介して、ＷＥＢサーバ４と制御部１５ａとを通信可能とする。
【００３２】
続いてステップＳ２０７に移行して、制御部１５ａは、無線通信デバイス１３ａ、会員用アクセスポイント３ａ、およびインターネット６を介して、前記ステップＳ２０４で読み出した会員用ＵＲＬにアクセスする。これにより、制御部１５ａは、前記ステップＳ２０６で通信可能とされたＷＥＢサーバ４から会員用ＵＲＬが示す会員用ＷＥＢサイトのＨＴＭＬデータを取得する。
続いてステップＳ２０８に移行して、制御部１５ａは、前記ステップＳ２０７で取得したＨＴＭＬデータが示す会員用ＷＥＢサイトを表示させる表示指令を情報表示デバイス１４ａに出力した後、この演算処理を終了する。
【００３３】
一方、前記ステップＳ２０９では、制御部１５ａは、ＮＦＣリーダ/ライタ１２ａ（近距離無線通信）を介して、ＲＦＩＤタグ８の記憶部１０から会員用情報１を読み出す。
続いてステップＳ２１０に移行して、制御部１５ａは、前記ステップＳ２０９で読み出した会員用情報１（会員向けに提供される特別な案内情報）を表示させる表示指令を情報表示デバイス１４ａに出力する。
続いてステップＳ２１１に移行して、制御部１５ａは、ＮＦＣリーダ/ライタ１２ａ（近距離無線通信）を介して、ＲＦＩＤタグ８の記憶部１０から会員用情報２を読み出す。
続いてステップＳ２１２に移行して、制御部１５ａは、前記ステップＳ２０９で読み出した会員用情報２（会員向けに提供されるアンケート調査表）を表示させる表示指令を情報表示デバイス１４ａに出力した後、この演算処理を終了する。
【００３４】
なお、本実施形態のスマートポスターシステム１では、会員用無線携帯端末５ａが会員用アクセスポイント３ａと無線通信可能な環境にはないと判定した場合にのみ（ステップＳ２０１、Ｎｏ）、ＲＦＩＤタグ８から会員用情報１および会員用情報２を読み出す構成としたが、他の構成を採用することもできる。例えば、会員用無線携帯端末５ａが会員用アクセスポイント３ａと無線通信可能な環境にあると判定した場合にも（ステップＳ２０１、Ｙｅｓ）、利用者（会員）の操作等に応じて、ＲＦＩＤタグ８から会員用情報１および会員用情報２を読み出し可能とする構成を採用することもできる。
【００３５】
次に、一般用無線携帯端末５ｂの制御部１５ｂが実行する一般用情報読出処理について説明する。一般用情報読出処理は、ＲＦＩＤタグ８が一般用無線携帯端末５ｂのＮＦＣリーダ/ライタ１２ｂの通信可能範囲内に入った場合に実行される。
図８は、一般用情報読出処理を表すフローチャートである。
図８に示すように、ステップＳ３０１では、制御部１５ｂは、ＮＦＣリーダ/ライタ１２ｂ（近距離無線通信）を介して、一般用無線携帯端末５ｂとＲＦＩＤタグ８との接続を確立する。これにより、制御部１５ｂは、ＮＦＣリーダ/ライタ１２ｂ（近距離無線通信）を介して、一般用無線携帯端末５ｂとＲＦＩＤタグ８とを通信可能とする。
【００３６】
続いてステップＳ３０２に移行して、制御部１５ｂは、ＮＦＣリーダ/ライタ１２ｂ（近距離無線通信）を介して、ＲＦＩＤタグ８の記憶部１０から固有ＩＤ番号を読み出す。
続いてステップＳ３０３に移行して、制御部１５ｂは、ＮＦＣリーダ/ライタ１２ｂ（近距離無線通信）を介して、ＲＦＩＤタグ８の記憶部１０から外部端末識別鍵を読み出す。続いて、制御部１５ｂは、読み出した外部端末識別鍵を照合する。
続いてステップＳ３０４に移行して、制御部１５ｂは、ＮＦＣリーダ/ライタ１２ｂ（近距離無線通信）を介して、後述する判定処理の実行指令をＲＦＩＤタグ８に送信する。
【００３７】
前記ステップＳ３０５では、制御部１５ｂは、後述する一般用動作処理を実行する。
続いてステップＳ３０６に移行して、制御部１５ｂは、ＮＦＣリーダ/ライタ１２ｂ（近距離無線通信）を介して、後述する読出集計処理の実行指令をＲＦＩＤタグ８に送信する。
続いてステップＳ３０７に移行して、制御部１５ｂは、ＮＦＣリーダ/ライタ１２ｂ（近距離無線通信）を介した、無線携帯端末５ｂとＲＦＩＤタグ８との接続を切断する。これにより、制御部１１は、ＮＦＣリーダ/ライタ１２ｂ（近距離無線通信）を介した、無線携帯端末５ｂとＲＦＩＤタグ８との通信を終了する。
【００３８】
次に、情報読出処理のステップＳ３０５で実行する一般用動作処理について説明する。
図９は、一般用動作処理を表すフローチャートである。
図９に示すように、ステップＳ４０１では、制御部１５ｂは、一般用無線携帯端末５ｂが一般用アクセスポイント３ｂと無線通信可能な環境であるか否かを判定する。具体的には、制御部１５ｂは、無線通信デバイス１３ｂから出力される信号に基づき無線通信デバイス１３ｂが一般用アクセスポイント３ｂから送出される電波を受信しているか否かを判定する。そして、制御部１５ｂは、無線通信デバイス１３ｂが一般用アクセスポイント３ｂから送出される電波を受信していると判定した場合には（Ｙｅｓ）、一般用無線携帯端末５ｂが一般用アクセスポイント３ｂと無線通信可能な環境にあると判定し、ステップＳ４０２に移行する。一方、制御部１５ｂは、無線通信デバイス１３ｂが一般用アクセスポイント３ｂから送出される電波を受信していないと判定した場合には（Ｎｏ）、一般用無線携帯端末５ｂが一般用アクセスポイント３ｂと無線通信可能な環境にはないと判定し、ステップＳ４０９に移行する。
【００３９】
前記ステップＳ４０２では、制御部１５ｂは、ＮＦＣリーダ/ライタ１２ｂ（近距離無線通信）を介して、ＲＦＩＤタグ８の記憶部１０から一般用ＳＳＩＤを読み出す。
前記ステップＳ４０３に移行して、制御部１５ｂは、ＮＦＣリーダ/ライタ１２ｂ（近距離無線通信）を介して、ＲＦＩＤタグ８の記憶部１０から一般用ＷＥＰを読み出す。
続いてステップＳ４０４に移行して、制御部１５ｂは、ＮＦＣリーダ/ライタ１２ｂ（近距離無線通信）を介して、ＲＦＩＤタグ８の記憶部１０から一般用ＵＲＬを読み出す。
【００４０】
続いてステップＳ４０５に移行して、制御部１５ｂは、前記ステップＳ４０２、Ｓ４０３で読み出した一般用ＳＳＩＤ、一般用ＷＥＰを一般用無線携帯端末５ｂが一般用アクセスポイント３ｂへの無線通信の接続に用いるＳＳＩＤ、ＷＥＰキーとして設定する。
続いてステップＳ４０６に移行して、制御部１５ｂは、無線通信デバイス１３ｂを介して、前記ステップＳ４０５で設定したＳＳＩＤとＷＥＰキーとに基づいて一般用アクセスポイント３ｂと制御部１５ｂとの接続を確立する。これにより、制御部１５ｂは、無線通信デバイス１３ｂ（無線通信）を介して、制御部１５ｂと一般用アクセスポイント３ｂとを通信可能とする。そして、制御部１５ｂは、無線通信デバイス１３ｂ、一般用アクセスポイント３ｂ、およびインターネット６を介して、ＷＥＢサーバ４と制御部１５ｂとを通信可能とする。
【００４１】
続いてステップＳ４０７に移行して、制御部１５ｂは、無線通信デバイス１３ｂ、一般用アクセスポイント３ｂ、およびインターネット６を介して、前記ステップＳ４０４で読み出した一般用ＵＲＬにアクセスする。これにより、制御部１５ｂは、前記ステップＳ４０６で通信可能とされたＷＥＢサーバ４から一般用ＵＲＬが示す一般用ＷＥＢサイトのＨＴＭＬデータを取得する。
続いてステップＳ４０８に移行して、制御部１５ｂは、前記ステップＳ４０７で取得したＨＴＭＬデータが示す一般用ＷＥＢサイトを表示させる表示指令を情報表示デバイス１４ｂに出力した後、この演算処理を終了する。
【００４２】
一方、前記ステップＳ４０９では、制御部１５ｂは、制御部１５ｂは、一般用無線携帯端末５ｂが基地局と移動体通信可能な環境であるか否かを判定する。具体的には、制御部１５ｂは、移動体通信デバイス１６ｂから出力される強度信号に基づき移動体通信デバイス１６ｂが基地局から送出される電波を受信しているか否かを判定する。そして、制御部１５ｂは、移動体通信デバイス１６ｂが基地局から送出される電波を受信していると判定した場合には（Ｙｅｓ）一般用無線携帯端末５ｂが基地局と移動体通信可能な環境にあると判定し、ステップＳ４１０に移行する。一方、制御部１５ｂは、移動体通信デバイス１６ｂが基地局から送出される電波を受信していないと判定した場合には（Ｎｏ）一般用無線携帯端末５ｂが基地局と移動体通信可能な環境にはないと判定し、ステップＳ４１３に移行する。
【００４３】
前記ステップＳ４１０では、制御部１５ｂは、ＮＦＣリーダ/ライタ１２ｂ（近距離無線通信）を介して、ＲＦＩＤタグ８の記憶部１０から一般用ＵＲＬを読み出す。
続いてステップＳ４１１に移行して、制御部１５ｂは、移動体通信デバイス１６ｂ、基地局、およびインターネット６を介して、前記ステップＳ４１０で取得した一般用ＵＲＬにアクセスする。これにより、制御部１５ｂは、ＷＥＢサーバ４から一般用ＵＲＬが示す一般用ＷＥＢサイトのＨＴＭＬデータを取得する。
続いてステップＳ４１２に移行して、制御部１５ｂは、前記ステップＳ４１１で取得したＨＴＭＬデータが示す一般用ＷＥＢサイトを表示させる表示指令を情報表示デバイス１４ｂに出力した後、この演算処理を終了する。
【００４４】
一方、前記ステップＳ４１３では、制御部１５ｂは、ＮＦＣリーダ/ライタ１２ｂ（近距離無線通信）を介して、ＲＦＩＤタグ８の記憶部１０から一般用情報１を読み出す。
続いてステップＳ４１４に移行して、制御部１５ｂは、前記ステップＳ４１３で読み出した一般用情報１（一般向けに提供される特別な案内情報）を表示させる表示指令を情報表示デバイス１４ｂに出力する。
続いてステップＳ４１５に移行して、制御部１５ｂは、ＮＦＣリーダ/ライタ１２ｂ（近距離無線通信）を介して、ＲＦＩＤタグ８の記憶部１０から一般用情報２を読み出す。
続いてステップＳ４１６に移行して、制御部１５ｂは、前記ステップＳ４１５で読み出した一般用情報２（一般向けに提供されるアンケート調査表）を表示させる表示指令を情報表示デバイス１４ｂに出力した後、この演算処理を終了する。
【００４５】
次に、ＲＦＩＤタグ８の制御部１１が実行する読出制限処理について説明する。
読出制限処理は、会員用無線携帯端末５ａまたは一般用無線携帯端末５ｂから読出制限処理の実行指令が送信された場合に実行される。
図１０は、読出制限処理を表すフローチャートである。
図１０に示すように、ステップＳ６０１では、制御部１１は、非接触通信部９（近距離無線通信）を介して、読出制限処理の実行指令を送信した無線携帯端末５ａ、５ｂ（以下、送信元無線携帯端末５ａ、５ｂとも呼ぶ）から固有ＩＤ番号を取得する。なお、送信元無線携帯端末５ａ、５ｂが固有ＩＤ番号を有しておらず、制御部１１が、送信元無線携帯端末５ａ、５ｂから固有ＩＤ番号を取得できなかった場合には、固有ＩＤ番号として不登録番号を取得したものとして以降のフローを実行する。不登録番号とは、会員用無線携帯端末５ａに対応付けられている固有ＩＤ番号以外のＩＤ番号である。
【００４６】
続いてステップＳ６０２に移行して、制御部１１は、送信元無線携帯端末５ａ、５ｂが会員用無線携帯端末５ａであるか否かを判定する。具体的には、制御部１１は、記憶部１０が記憶している外部端末識別鍵（会員用無線携帯端末５ａの固有ＩＤ番号）のうちに、前記ステップＳ６０１で取得した固有ＩＤ番号と一致するものがあるか否かを判定する。そして、制御部１１は、取得した固有ＩＤ番号と一致するものがあると判定した場合には（Ｙｅｓ）、送信元無線携帯端末５ａ、５ｂが会員用無線携帯端末５ａであると判定し、ステップＳ６０３に移行する。一方、制御部１１は、取得した固有ＩＤ番号と一致するものがないと判定した場合には（Ｎｏ）、送信元無線携帯端末５ａ、５ｂが一般用無線携帯端末５ｂであると判定し、ステップＳ６０４に移行する。
【００４７】
前記ステップＳ６０３では、制御部１１は、記憶部１０が記憶している会員用ＳＳＩＤ、会員用ＷＥＰ、会員用ＵＲＬ、会員用情報１、および会員用情報２（以下、これらを会員用情報群とも呼ぶ）のみを読み出し可能とした後、この演算処理を終了する。これにより、制御部１１は、送信元無線携帯端末５ａ、５ｂが、近距離無線通信を介して、ＲＦＩＤタグ８から一般用ＳＳＩＤ、一般用ＷＥＰ、一般用ＵＲＬ、一般用情報１、および一般用情報２（以下、これらを一般用情報群とも呼ぶ）を読出不可能な状態とする。
一方、前記ステップＳ６０４では、制御部１１は、ＲＦＩＤタグ８から記憶部１０が記憶している一般用情報群のみを読み出し可能とした後、この演算処理を終了する。これにより、制御部１１は、送信元無線携帯端末５ａ、５ｂが、近距離無線通信を介して、ＲＦＩＤタグ８から会員用情報群を読出不可能な状態とする。
【００４８】
次に、ＲＦＩＤタグ８の制御部１１が実行する読出集計処理について説明する。
読出集計処理は、会員用無線携帯端末５ａまたは一般用無線携帯端末５ｂから読出集計処理の実行指令が送信された場合に実行される。
図１１は、読出集計処理を表すフローチャートである。
図１１に示すように、ステップＳ７０１では、制御部１１は、記憶部１０から現在の日付に対応付けられている利用情報を読み出す。なお、現在の日付に対応付けられている利用情報が記憶部１０に記憶されていない場合には、現在の日付に対応付けられている利用情報として回数「０」を示す情報が読み出されたものとして以降のフローを実行する。
【００４９】
続いてステップＳ７０２に移行して、制御部１１は、前記ステップＳ７０１で読み出した利用情報が示す回数に「１」を加算する。
続いてステップＳ７０３に移行して、制御部１１は、前記ステップＳ７０２で算出した加算結果を現在の日付に対応する利用情報として記憶部１０に記憶させた後、この演算処理を終了する。これにより、制御部１１は、無線携帯端末５ａまたは５ｂとＲＦＩＤタグ８とが近距離無線通信を行った回数を記憶部１０に記憶させる。これにより、制御部１１は、利用日ごとに、ＲＦＩＤタグ８から情報が読み出された回数（会員用情報読出処理の実行回数と一般用情報読出処理の実行回数との合計数）を計数する。そして、制御部１１は、計数結果を利用情報として記憶部１０に記憶する。
【００５０】
なお、本実施形態のスマートポスターシステム１では、会員用情報読出処理の実行回数と一般用情報読出処理の実行回数との合計数を計数する例を示したが（すなわち、会員用無線携帯端末５ａがＲＦＩＤタグ８から情報を読み出した回数と、一般用無線携帯端末５ｂがＲＦＩＤタグ８から情報を読み出した回数とを合わせて計数する例を示したが）、他の構成を採用することもできる。例えば、会員用無線携帯端末５ａがＲＦＩＤタグ８から情報を読み出した回数と、一般用無線携帯端末５ｂがＲＦＩＤタグ８から情報を読み出した回数とを別々にカウントする構成を採用することもできる。
【００５１】
以上、本実施形態では、展示施設の情報が提示情報を構成する。以下同様に、図１の展示情報ポスター７が情報表示媒体を構成する。さらに、図１のＲＦＩＤタグ８がＲＦＩＤタグを構成する。また、図２の制御部１１、図６のステップＳ１０６、図８のステップＳ３０６、図１１のステップＳ７０１〜Ｓ７０３が計数部を構成する。さらに、図２の記憶部１０が記憶部を構成する。また、図１のスマートポスター２がＲＦＩＤタグ付き情報表示媒体を構成する。さらに、図１の無線携帯端末５ａ、５ｂが無線携帯端末を構成する。また、図１のインターネット６が通信網を構成する。さらに、図１のアクセスポイント３ａ、３ｂがアクセスポイントを構成する。また、図４、図５のＮＦＣリーダ/ライタ１２ａ、１２ｂ、図７のステップＳ２０２〜Ｓ２０４、図９のステップＳ４０２〜Ｓ４０４が読出手段を構成する。さらに、会員用ＵＲＬおよび一般用ＵＲＬが格納場所情報を構成する。また、図４、図５の無線通信デバイス１３ａ、１３ｂ、図７のステップＳ２０５〜Ｓ２０７、図９のステップＳ４０５〜Ｓ４０７が通信部を構成する。
【００５２】
（動作、その他）
次に、本実施形態のスマートポスターシステム１の設置手順を説明する。
図１２は、スマートポスター２の設置手順を示すシーケンス図である。
まず、管理者が、図１２に示すように、ＲＦＩＤタグ８の記憶部１０を初期化する。これにより、記憶部１０が記憶している情報を消去する。続いて、管理者が、ＲＦＩＤタグ８の記憶部１０に各種情報（固有ＩＤ番号、外部端末識別鍵、設置場所データ、会員用ＳＳＩＤ、会員用ＷＥＰ、会員用ＵＲＬ、会員用情報１、会員用情報２、一般用ＳＳＩＤ、一般用ＷＥＰ、一般用ＵＲＬ、一般用情報１、および一般用情報２）を書きこむ。記憶部１０の初期化や記憶部１０への各種情報の書き込みには、例えば、公知のＲＦＩＤタグリーダ/ライタ装置を採用できる。続いて、管理者が、ＲＦＩＤタグ８を展示情報ポスター７の所定位置に貼着する。これにより、スマートポスター２を形成する。続いて、管理者が、スマートポスター２を街頭や駅等の複数箇所に設定した領域Ａに設置する。
【００５３】
次に、本実施形態のスマートポスターシステム１の動作を説明する。
図１３は、スマートポスターシステム１の動作を示すシーケンス図である。
まず、会員が、図１３に示すように、会員用無線携帯端末５ａをＲＦＩＤタグ８にかざしたとする。すると、会員用無線携帯端末５ａが会員用情報読出処理（図６の演算処理）を開始する。そして、会員用情報読出処理により、会員用無線携帯端末５ａが、ＮＦＣリーダ/ライタ１２ａ（近距離無線通信）を介して、会員用無線携帯端末５ａとＲＦＩＤタグ８との接続を確立する（ステップＳ１０１）。続いて、会員用無線携帯端末５ａが、ＮＦＣリーダ/ライタ１２ａ（近距離無線通信）を介して、ＲＦＩＤタグ８の記憶部１０から固有ＩＤ番号を読み出す（ステップＳ１０２）。続いて、会員用無線携帯端末５ａが、ＲＦＩＤタグ８の記憶部１０から外部端末識別鍵を読み出し、読み出した外部端末識別鍵を照合する（ステップＳ１０３）。続いて、会員用無線携帯端末５ａが、ＲＦＩＤタグ８に読出制限処理の実行指令を送信する（ステップＳ１０４）。読出制限処理の実行指令が送信されると、ＲＦＩＤタグ８が、読出制限処理（図１０の演算処理）を実行する。そして、読出制限処理により、ＲＦＩＤタグ８が、会員用無線携帯端末５ａから固有ＩＤ番号を取得する（ステップＳ６０１）。続いて、ＲＦＩＤタグ８が、会員用無線携帯端末５ａ、つまり、読出制限処理の実行指令を送信してきた無線携帯端末５ａが会員用無線携帯端末５ａであると判定する（ステップＳ６０２、Ｙｅｓ）。続いて、ＲＦＩＤタグ８が、会員用情報群（会員用ＳＳＩＤ、会員用ＷＥＰ、会員用ＵＲＬ、会員用情報１、および会員用情報２）のみを読み出し可能とする（ステップＳ６０３）。これにより、ＲＦＩＤタグ８が、近距離無線通信を介した一般用情報群の読み出しを不可能な状態とする。
【００５４】
続いて、会員用無線携帯端末５ａが、会員用動作処理（図７の演算処理）を実行する（ステップＳ１０５）。ここで、会員用無線携帯端末５ａが、会員用アクセスポイント３ａから送出される電波を受信していたとする。すると、会員用動作処理により、会員用無線携帯端末５ａが、会員用アクセスポイント３ａと無線通信可能な環境であると判定する（ステップＳ２０１、Ｙｅｓ）。続いて、会員用無線携帯端末５ａが、ＮＦＣリーダ/ライタ１２ａ（近距離無線通信）を介して、ＲＦＩＤタグ８の記憶部１０から会員用ＳＳＩＤを読み出す（ステップＳ２０２）。続いて、会員用無線携帯端末５ａが、ＮＦＣリーダ/ライタ１２ａ（近距離無線通信）を介して、ＲＦＩＤタグ８の記憶部１０から会員用ＷＥＰを読み出す（ステップＳ２０３）。続いて、会員用無線携帯端末５ａが、ＮＦＣリーダ/ライタ１２ａ（近距離無線通信）を介して、ＲＦＩＤタグ８の記憶部１０から会員用ＵＲＬを読み出す（ステップＳ２０４）。続いて、会員用無線携帯端末５ａが、読み出した会員用ＳＳＩＤ、会員用ＷＥＰを無線携帯端末５ａが会員用アクセスポイント３ａへの無線通信の接続に用いるＳＳＩＤ、ＷＥＰキーとして設定する（ステップＳ２０５）。続いて、会員用無線携帯端末５ａが、無線通信デバイス１３ａを介して、設定したＳＳＩＤとＷＥＰキーとに基づいて会員用アクセスポイント３ａと会員用無線携帯端末５ａとの接続を確立する（ステップＳ２０６）。続いて、会員用無線携帯端末５ａが、無線通信デバイス１３ａ、会員用アクセスポイント３ａ、およびインターネット６を介して、取得した会員用ＵＲＬにアクセスする（ステップＳ２０７）。これにより、会員用無線携帯端末５ａが、ＷＥＢサーバ４から会員用ＵＲＬが示す会員用ＷＥＢサイトのＨＴＭＬデータを取得する。続いて、会員用無線携帯端末５ａが、取得したＨＴＭＬデータが示す情報を表示させる表示指令を情報表示デバイス１４ａに出力する。これにより、情報表示デバイス１４ａが、展示情報ポスター７に表示されている情報の詳細情報を表示する。
【００５５】
このように、本実施形態のスマートポスターシステム１では、会員用無線携帯端末５ａが、会員用アクセスポイント３ａ（無線通信）を介して、ＷＥＢサーバ４から会員用ＷＥＢサイトのＨＴＭＬデータを取得するようにした。それゆえ、携帯キャリアの通信回線を利用しないで済み、通信回線の利用料が発生しないで済む。そのため、携帯キャリアへの通信費用が発生しないで済む。これにより、スマートポスターシステム１の利用が促進され、スマートポスター２による情報配信効果を向上できる。
【００５６】
また、例えば、携帯キャリア（電気通信事業者）の通信回線を利用する場合と比べ、通信速度を高速化できる。それゆえ、会員用ＷＥＢサイトのＨＴＭＬデータを短時間に取得できる。ちなみに、携帯キャリアの通信回線を利用する方法では、携帯キャリアの通信回線が混雑し、会員用ＷＥＢサイトのＨＴＭＬデータの取得に長時間を要する。
さらに、基地局から送出される電波を受信できない場所（例えば、地下フロア、地下鉄車両内）や、携帯電話機による基地局との通信が禁止されている場所（例えば、医療機関病院・診療所、博物館、美術館）にもスマートポスター２を設置できる。
【００５７】
さらに、本実施形態のスマートポスターシステム１では、会員用無線携帯端末５ａが、ＲＦＩＤタグ８から各種情報（会員用ＳＳＩＤ、会員用ＷＥＰ、会員用ＵＲＬ）を読み出し、読み出した情報に基づいて会員用アクセスポイント３ａと無線通信を行い、会員用アクセスポイント３ａを介して会員用ＵＲＬが示す格納場所にアクセスするようにした。それゆえ、会員用無線携帯端末５ａと会員用アクセスポイント３ａとを自動的に接続でき、会員用ＷＥＢサイトのＨＴＭＬデータのアドレスに容易にアクセスできる。
【００５８】
続いて、会員用無線携帯端末５ａが、ＮＦＣリーダ/ライタ１２ａ（近距離無線通信）を介して、読出集計処理の実行指令をＲＦＩＤタグ８に送信する（ステップＳ１０６）。読出集計処理の実行指令が送信されると、ＲＦＩＤタグ８が、読出集計処理（図１１の演算処理）を実行する。そして、読出集計処理により、ＲＦＩＤタグ８が、記憶部１０から現在の日付に対応付けられている利用情報を読み出す（ステップＳ７０１）。続いて、ＲＦＩＤタグ８が、読み出した利用情報が示す回数に「１」を加算する（ステップＳ７０２）。続いて、ＲＦＩＤタグ８が、算出した加算結果を現在の日付に対応する利用情報として記憶部１０に記憶させる（ステップＳ７０３）。これにより、ＲＦＩＤタグ８が、利用日ごとに、ＲＦＩＤタグ８から情報が読み出された回数を計数する。そして、ＲＦＩＤタグ８が、計数結果を利用情報として記憶部１０に記憶する。
【００５９】
このように、本実施形態のスマートポスターシステム１では、ＲＦＩＤタグ８が、ＲＦＩＤタグ８から情報が読み出された回数を計数するようにした。そして、ＲＦＩＤタグ８が、計数結果を利用情報として記憶部１０に記憶するようにした。それゆえ、例えば、記憶部１０に記憶されている利用情報を解析することで、スマートポスター２の利用状況を把握することができる。そのため、スマートポスター２の設置効果を容易に確認することができる。その結果、スマートポスター２の設置場所をより適切なものとすることができ、スマートポスター２設置の費用対効果を向上することができる。
続いて、会員用無線携帯端末５ａが、ＮＦＣリーダ/ライタ１２ａ（近距離無線通信）を介して、ＲＦＩＤタグ８との接続を切断する（ステップＳ１０７）。
【００６０】
一方、会員用無線携帯端末５ａが、会員用アクセスポイント３ａから送出される電波を受信していなかったとする。すると、会員用無線携帯端末５ａが、無線携帯端末５ａが会員用アクセスポイント３ａと無線通信可能な環境ではないと判定する（ステップＳ２０１、Ｎｏ）。続いて、会員用無線携帯端末５ａが、ＮＦＣリーダ/ライタ１２ａ（近距離無線通信）を介して、ＲＦＩＤタグ８の記憶部１０から会員用情報１を読み出す（ステップＳ２０９）。続いて、会員用無線携帯端末５ａが、読み出した会員用情報１を表示させる表示指令を情報表示デバイス１４ａに出力する（ステップＳ２１０）。これにより、情報表示デバイス１４ａが、会員向けに提供される特別な案内情報を表示する。
このように、本実施形態のスマートポスターシステム１では、情報表示デバイス１４ａが、会員向けに提供される特別な案内情報（会員向けのクーポン等の割引情報）を表示（提供）するようにした。それゆえ、展示施設への来場を会員に促すことができる。
【００６１】
続いて、会員用無線携帯端末５ａが、ＮＦＣリーダ/ライタ１２ａ（近距離無線通信）を介して、ＲＦＩＤタグ８の記憶部１０から会員用情報２を読み出す（ステップＳ２１１）。続いて、会員用無線携帯端末５ａが、読み出した会員用情報２を表示させる表示指令を情報表示デバイス１４ａに出力する（ステップＳ２１２）。これにより、情報表示デバイス１４ａが、会員向けに提供されるアンケート調査表を表示する。
このように、本実施形態のスマートポスターシステム１では、情報表示デバイス１４ａが、会員向けに提供されるアンケート調査表を表示（提供）するようにした。それゆえ、会員にアンケート調査項目を回答させることができる。
図１４は、スマートポスターシステム１の動作を示すシーケンス図である。
【００６２】
一方、一般利用者が、図１４に示すように、一般用無線携帯端末５ｂをＲＦＩＤタグ８にかざしたとする。すると、一般用無線携帯端末５ｂが一般用情報読出処理（図８の演算処理）を開始する。そして、一般用情報読出処理により、一般用無線携帯端末５ｂが、ＮＦＣリーダ/ライタ１２ｂ（近距離無線通信）を介して、一般用無線携帯端末５ｂとＲＦＩＤタグ８との接続を確立する（ステップＳ３０１）。続いて、一般用無線携帯端末５ｂが、ＮＦＣリーダ/ライタ１２ｂ（近距離無線通信）を介して、ＲＦＩＤタグ８の記憶部１０から固有ＩＤ番号を読み出す（ステップＳ３０２）。続いて、一般用無線携帯端末５ｂが、ＲＦＩＤタグ８の記憶部１０から外部端末識別鍵を読み出し、読み出した外部端末識別鍵を照合する（ステップＳ３０３）。続いて、一般用無線携帯端末５ｂが、ＲＦＩＤタグ８に読出制限処理の実行指令を送信する（ステップＳ３０４）。読出制限処理の実行指令が送信されると、ＲＦＩＤタグ８が、読出制限処理（図１０の演算処理）を実行する。そして、読出制限処理により、ＲＦＩＤタグ８が、一般用無線携帯端末５ｂから固有ＩＤ番号を取得する（ステップＳ６０１）。続いて、ＲＦＩＤタグ８が、一般用無線携帯端末５ｂ、つまり、読出制限処理の実行指令を送信してきた無線携帯端末５ｂが一般用無線携帯端末５ｂであると判定する（ステップＳ６０２、Ｙｅｓ）。続いて、ＲＦＩＤタグ８が、一般用情報群（一般用ＳＳＩＤ、一般用ＷＥＰ、一般用ＵＲＬ、一般用情報１、および一般用情報２）のみ読み出しを可能とする（ステップＳ６０３）。これにより、ＲＦＩＤタグ８が、近距離無線通信を介した会員用情報群の読み出しを不可能な状態とする。
【００６３】
このように、本実施形態のスマートポスターシステム１では、ＲＦＩＤタグ８が、読出制限処理の実行指令を送信してきた無線携帯端末５ｂが一般用無線携帯端末５ｂであると判定した場合には、一般用情報群の読み出しのみを許可する。それゆえ、一般利用者が、ＲＦＩＤタグ８の記憶部１０から会員用情報群（会員用ＳＳＩＤ、会員用ＷＥＰ、会員用ＵＲＬ、会員用情報１、および会員用情報２）を読み出すことを防止できる。
【００６４】
続いて、一般用無線携帯端末５ｂが、一般用動作処理（図９の演算処理）を実行する（ステップＳ３０５）。ここで、一般用無線携帯端末５ｂが、一般用アクセスポイント３ｂから送出される電波、および基地局から送出される電波のいずれも受信していなかったとする。すると、一般用動作処理により、一般用無線携帯端末５ｂが、一般用アクセスポイント３ｂと無線通信可能な環境ではないが、基地局と移動体通信可能な環境であると判定する（ステップＳ４０１、Ｎｏ、ステップＳ４０９、Ｙｅｓ）。続いて、一般用無線携帯端末５ｂが、ＮＦＣリーダ/ライタ１２ｂ（近距離無線通信）を介して、ＲＦＩＤタグ８の記憶部１０から一般用ＵＲＬを読み出す（ステップＳ４１０）。続いて、一般用無線携帯端末５ｂが、移動体通信デバイス１６ｂ、基地局、およびインターネット６を介して、取得した一般用ＵＲＬにアクセスする（ステップＳ４１１）。これにより、一般用無線携帯端末５ｂが、ＷＥＢサーバ４から一般用ＵＲＬが示すＷＥＢサイトのＨＴＭＬデータを取得する。続いて、一般用無線携帯端末５ｂが、取得したＨＴＭＬデータが示す情報を表示させる表示指令を情報表示デバイス１４ｂに出力する。これにより、情報表示デバイス１４ｂが、展示情報ポスター７に表示されている情報の詳細情報を表示する。
【００６５】
続いて、一般用無線携帯端末５ｂが、ＮＦＣリーダ/ライタ１２ｂ（近距離無線通信）を介して、読出集計処理の実行指令をＲＦＩＤタグ８に送信する（ステップＳ３０６）。続いて、一般用無線携帯端末５ｂが、ＮＦＣリーダ/ライタ１２ｂ（近距離無線通信）を介して、ＲＦＩＤタグ８との接続を切断する（ステップＳ３０７）。
【符号の説明】
【００６６】
１    スマートポスターシステム
２    スマートポスター
３ａ  会員用アクセスポイント
３ｂ  一般用アクセスポイント
４    ＷＥＢサーバ
５ａ  会員用無線携帯端末
５ｂ  一般用無線携帯端末
６    インターネット
７    展示情報ポスター
８    ＲＦＩＤタグ
９    非接触通信部
１０  記憶部
１１  制御部
１２ａ、１２ｂ  ＮＦＣリーダ/ライタ
１３ａ、１３ｂ  無線通信デバイス
１４ａ、１４ｂ  情報表示デバイス
１５ａ、１５ｂ  制御部
１６ｂ  移動体通信デバイス
【図１】
0005891757.tif 000002
【図２】
0005891757.tif 000003
【図３】
0005891757.tif 000004
【図４】
0005891757.tif 000005
【図５】
0005891757.tif 000006
【図６】
0005891757.tif 000007
【図７】
0005891757.tif 000008
【図８】
0005891757.tif 000009
【図９】
0005891757.tif 000010
【図１０】
0005891757.tif 000011
【図１１】
0005891757.tif 000012
【図１２】
0005891757.tif 000013
【図１３】
0005891757.tif 000014
【図１４】
0005891757.tif 000015